(57)【要約】【課題】地上波デジタル放送においては、地域によって受信チャンネルに対する信号周波数の割り当てが多様化するため、該信号を受信する受信装置では、チャンネル番号に対して固定した周波数アロケーション情報を用いることができないといった課題を有する。【解決手段】地域情報を取得するための設定値を受信装置に設定し、その地域情報設定値をもとに、受信周波数と対応付けされたチャンネルを選局し受信レベルを表示することで、多大な時間を要することなく地域ごとの放送チャンネルに対応した信号レベル表示を可能とする。【選択図】図２
2007189574.tif 000002
【特許請求の範囲】
【請求項１】
受信信号を選局するチューナー部と、選局された信号を復調し、且つ該信号の受信ＣＮ比を検出し、所定のデータとして出力する復調部と、地域情報を得るための地域設定手段と、前期地域設定手段により受信チャンネルと前期受信信号の周波数が関連付けされたチャンネル設定手段を具備することを特徴とする放送受信装置。
【請求項２】
受信した信号のチャンネルリストを表示するチャンネルリスト表示手段を具備することを特徴とする請求項１記載の放送受信装置。
【請求項３】
請求項１記載の復調部の出力データを所定のレベル値に変換する演算部と、前記レベル値を一括して表示させるレベル表示手段を具備することを特徴とする請求項１記載の放送受信装置。
【請求項４】
選局するための周波数情報を有しないあるいは受信信号が検出できない場合において、選局周波数を自動的に変化させる信号検索手段を具備することを特徴とする請求項１記載の放送受信装置。
【請求項５】
前期検索周波数範囲の中で、受信チャンネル設定により特定される周波数に限定した信号検索手段を具備することを特徴とする請求項２に記載の放送受信装置。
【請求項６】
請求項４記載の信号検索手段と請求項５記載の限定した信号検索手段との切り換え選択する手段を具備することを特徴とする放送受信装置。
【発明の詳細な説明】
【技術分野】
【０００１】
本発明は、デジタル放送に用いる受信装置（国際特許分類  Ｈ０４Ｎ１７／００）に関するものである。
【背景技術】
【０００２】
一般にデジタル放送は、例えば衛星放送の場合、静止衛星の中継器（トランスポンダ）ごとに異なる複数の周波数帯域を有する信号から構成されている。また、従来の衛星デジタル放送受信装置では、受信アンテナの設置調整等のために、初期設定されているあるいはユーザーが選択した特定の受信信号周波数におけるＣＮ比等の信号品質を所定のレベル値として表示する機能が設けられている。
【０００３】
以上の機能を果たす従来のデジタル放送受信装置について、受信信号レベルの表示方法について以下に説明する。
【０００４】
図５に一般的なデジタル放送受信装置の回路ブロック図を示す。また、図６は従来の信号レベルの表示におけるフローチャートを表す。図６より、信号レベルの表示は以下のような順序で行われている。受信アンテナ５０１からの信号は、チューナー部５０２で選局され、復調部５０３で該信号のＣＮ比の検出を行った後、データとして演算部５０４に送られる。演算部ではプログラムされた換算式に基づき、該データを信号レベルに変換を行い、画像装置５０５に出力表示させる。また、信号レベルは予めプログラムされている時間間隔でＣＮ比を再度検出し、該値が更新されるようになっている。また、受信信号レベルは受信装置に具備されているボタンあるいは付帯のリモコン操作により、受信信号周波数を設定できる画面（受信設定画面）が表示される。図７は受信設定画面の例であり、７０１は受信する放送サービス、７０２はチャンネル番号、７０３は受信信号周波数（チャンネルの中心周波数）、７０５は信号レベルを表す。この画面において、受信信号周波数の選択を行い、指定周波数における信号レベルを取得および表示するようになっている。また、受信周波数帯域内の複数の指定周波数に対する信号レベルを同一画面上に表示させることにより、受信周波数を切り換えなくても該帯域内における受信信号の有無あるいは信号レベルの相違を一度に認識することを実現するものもある（例えば特許文献１参照）。
【特許文献１】特開２００３−２１８７１７号公報（第４―６頁、第２図）
【発明の開示】
【発明が解決しようとする課題】
【０００５】
しかしながら、前記従来例では、受信信号の周波数とチャンネル番号が関連付けられて固定していたが、２００３年より開始予定の地上波デジタル放送においては、地域によって受信チャンネルに対する信号周波数の割り当てが多様化するため、該信号を受信する受信装置では、チャンネル番号に対して固定した周波数アロケーション情報を用いることができないといった課題を有する。
【０００６】
また、地域差を考慮していないため、県域地域にて該放送を受信する場合、アンテナの設置方向や受信信号の電界強度の差により隣接地域の電波を受信者の意に反して誤って受信する恐れがある。
【０００７】
さらに、割り当てられている信号周波数の数は衛星に比べて非常に多く、例えば、ＢＳ放送の場合、１１．７ＧＨｚから１２．０ＧＨｚの周波数帯域で８本であるのに対し、地上波デジタル放送ではＣＨ１３からＣＨ６２の５０本に上る。このような受信環境下で、各地域においては、そのうちの５分の１程度以下の信号周波数しか割り当てられないため、チャンネル設定時、すべてのチャンネルに対する周波数をサーチさせることは、大半を必要としない信号検出に費やし、多大な時間を浪費することになる。
【課題を解決するための手段】
【０００８】
この目的を達成するために、本発明の放送受信装置は、受信信号を選局するチューナー部と、選局された信号を復調し、且つ該信号の受信ＣＮ比を検出し、所定のデータとして出力する復調部と、信号を受信するための周波数リストを作成する受信周波数リスト作成手段と、前記チューナー部及び前記復調部を制御することによって前記周波数リストをもとに選局する選局部とを備えた構成となっている。これに、検出された該データを所定のレベル値に変換後、一括して表示させる演算部と、郵便番号や電話番号等の地域情報設定手段をさらに備えることで、県域地域等の複数の電波を受信可能な環境において、受信周波数帯域内の複数の受信信号を同一画面上に表示させることができ、受信周波数帯域内の受信状態が一目で判別できる。さらに受信したチャンネルリストを表示する機能をさらに備えることで、どの受信周波数でどのチャンネルを受信しているのが判別可能である。
【発明の効果】
【０００９】
以上のように本発明は、受信アンテナの設置に主に用いられていた信号レベル表示機能において、受信機に設定する地域情報、もしくは検出した受信中チャンネルから受信周波数リストを作成し、それらの信号レベルを一括表示させる機能を搭載することにより、受信地域に応じて、現在受信可能なチャンネルの受信状態を即座に認識可能であるような効果を有する。また、受信した時にそのチャンネル番号をも受信して併せて表示することにより、例えば地上波デジタル放送のように受信周波数とチャンネルが常に固定とはならない場合でも、チャンネル番号とそのレベル表示を対にして表示することができ、現在受信可能なチャンネル番号を認識可能といった効果を有する。さらには、県域地域等にて、地域情報を隣接する地域を設定した場合に、隣接する地域の放送チャンネルの受信状況を一目で確認することができるといった効果を有する。
【発明を実施するための最良の形態】
【００１０】
本発明の請求項１に記載の発明は、受信信号を選局するチューナー部と、選局された信号を復調し、且つ該信号の受信ＣＮ比を検出し、所定のデータとして出力する復調部と、受信する信号に対する周波数リスト作成手段と、前記チューナー部及び前記復調部を制御することによって前記周波数リストを用いた選局手段を具備することを特徴とする放送受信装置であって、特定周波数リストを用いて選局することで、チャンネルの検索をより効率良く行うことができるという作用を有する。
【００１１】
本発明の請求項２に記載の発明は、受信した信号のチャンネルリストを表示する機能を具備することを特徴とする請求項１記載の放送受信装置であって、実際に受信したチャンネルが一目に分かるという作用を有する。
【００１２】
本発明の請求項３に記載の発明は、チューナー部及び前記復調部を制御することによって複数の異なる受信信号周波数を選局し、検出されたＣＮ比を所定のレベル値に変換する演算部と、前記レベル値を一括して表示させる表示手段を具備することを特徴とする請求項１記載の放送受信装置であって、
受信ＣＮ比を予め定められた換算に基づいたレベル値に変換し、受信周波数帯域内の複数の受信信号周波数に対する信号レベルを同一画面上に表示させることにより、受信周波数を切り換えなくても、該帯域内における受信信号の有無あるいは信号レベルの相違を一度に認識することができるという作用を有する。
【００１３】
本発明の請求項４に記載の発明は、周波数リストを有しないあるいは受信信号が検出できない場合において、受信周波数が自動的に変化し、受信可能な信号を検索するチャンネルサーチ手段を具備することを特徴とする放送受信装置であって、受信信号周波数の値を意識することなく受信可能な信号を検出することができるという作用を有する。
【００１４】
本発明の請求項５に記載の発明は、請求項４に記載の検索周波数範囲よりも狭い特定の周波数範囲を予め設定された地域情報により検索する限定チャンネルサーチ手段を具備することを特徴とする請求項２に記載の放送受信装置であって、
受信可能な信号の検出をより迅速に行うことができるという作用を有する。
【００１５】
本発明の請求項６に記載の発明は、請求項４に記載のチャンネルサーチ手段と請求項５記載の限定チャンネルサーチ手段を選択する手段を具備することを特徴とする放送受信装置であって、例えば県域地域等で、地域差を考慮しユーザーが意図的にチャンネルサーチ手段にて受信した信号とは別の特定地域の信号を受信してチャンネルを検索することができるという作用を有する。
【００１６】
以下、本発明の実施の形態について図を用いて説明する。
【００１７】
（実施の形態１）
図１に本発明の実施の形態１における放送受信装置の信号レベル表示のフローチャートを示す。以下該フローチャートに沿って説明する。
【００１８】
特定の１つのチャンネルが受信状態にある時、信号は図７に示す放送受信装置において、チューナー部５０２で選局され、復調部５０３での復調および受信ＣＮ比の検出がＣＰＵ５０４の制御により行われる。その後、復調部の出力データをＣＰＵ５０４に取得し、ソフトウェア内にプログラムされた換算式に基づき信号レベルとして変換される。この時の受信状態は受信装置の操作により、図７のような受信設定画面で１つの受信チャンネルの状態を確認することができる。
【００１９】
さらに図４にソフトウェアブロック図を示す。上記の受信チャンネルの状態の確認とは別に、放送受信装置への電源投入中のタイミングにおいて、受信可能なチャンネルの全てあるいは一部について、受信状態を表示するために、受信信号周波数リストを作成する。放送受信機には地域情報設定手段４０７がある。ここで設定する地域情報は、郵便番号情報や屋内電話の外線番号以外に、受信地域を特定できるものであれば何でもよい。これらの地域情報に対して、受信機内部では、周波数アロケーション情報をデータベース化して保持している。地域情報設定手段４０７にて設定された地域情報から、該当する周波数アロケーション情報をデータベースから取得して周波数リスト作成手段４０６にて受信周波数リストを作成する。
【００２０】
次に、受信状況画面での処理概要を示す。受信設定画面（図７）中に例えば受信状況選択セル７０４のようなボタン（セル）を設け、選択した場合、図２に示すような受信状況画面に切り換わる。この画面に切り換わった後に行う処理フローを図１に示す。
【００２１】
始めに、受信機動作中に保持する受信周波数リストを周波数設定手段４０３を用いて読みこむ。（図１内１０１）
受信周波数リストの読みこみに成功した場合、受信信号周波数を受信周波数リストの先頭から順序に従って自動的に所定の時間間隔で切り換えを行い、受信可能なすべてのチャンネルについて周波数走査を繰り返す制御を行う。これにより、各受信チャンネルに対する信号レベル２０１を前記演算処理により、グラフ化あるいは該グラフに数値を伴って随時表示させる（図１内１０２）。この演算処理は該受信状況画面を閉じるまで行われ（図１内１０３）、該画面を閉じた後は、元の受信設定画面（図７）に戻り、所定の信号周波数を再度選局し、信号レベル７０５を表示する。この時にチャンネル番号を検出して、図３中のように信号レベルの下に表示するようにする。このように、信号レベルの値は、受信設定画面においては図１のフローに示すようにチューナー部の同期確立後、一定時間で１つのチャンネルについてのみ随時更新されるのに対し、本発明での受信状況画面のレベル値は、図２に示すように、地域情報設定手段４０７を用いて設定した地域情報を図２内の２０２のように表示し、一旦取得した値を表示して、受信周波数リストにて保持しているチャンネルを一定周期で走査した後（図１内１０４）、随時更新される。
【００２２】
以上のように、受信周波数リストに記述された周波数に切り換えすることで、受信地域に応じた複数チャンネルについての信号レベルを同一画面上に表示し、することができる。また、どのチャンネルでどの程度の信号レベルかが一目で認識することができる。
【００２３】
また、地域情報設定手段４０７にて設定する地域情報は、必ずしも定められた地域情報を設定しなくてもよい。例えば県域地域のように、隣接する地域の電波を受信可能な場合に、隣接地域の地域を設定することで、隣接地域で放送するチャンネルの受信状況を一目で確認することも可能である。
【００２４】
（実施の形態２）
本発明の実施の形態２は、実施の形態１の機能に加えて、地域情報に対して、該当する周波数アロケーションが存在しない場合、地域情報から受信周波数リストを作成せずに、受信周波数帯域内のチャンネルをサーチし、受信可能であった周波数を複数検出し、それらから受信周波数リストを作成する機能を追加したものである。具体的には、受信周波数大域内において周波数を切り換えながら順次走査していき、同期確立判定手段４０４にて同期が確立したことを検出した場合に、その時の受信周波数をＲＡＭ５０６へ保持する。これを繰り返し、受信周波数大域内の走査が終了した時点でＲＡＭ５０６が保持している同期確立した受信周波数全てあるいはその一部を周波数リスト作成手段にて受信周波数リストとして作成する。
【００２５】
また、受信周波数リストが存在しないもしくは読み込みに失敗した場合においても、選局する周波数を特定することができないために限定チャンネルサーチを行うことができない。したがって、周波数帯域内を全て走査することでチャンネルサーチを行い、上記と同様の処理にて周波数リスト作成手段４０６にて受信周波数リストを作成する。この場合のチャンネルサーチは多くの時間を要する処理であり、またその間、ユーザーは自由に選局することができないため、図３に示すように、ユーザーに対してチャンネルサーチを行う前に確認画面等を表示して、ユーザにチャンネルサーチを行うかどうかを選択させることもできる。以上のように、受信周波数大域内の全ての周波数を順次走査することで作成した受信周波数リストを作成することで、地域情報から受信周波数リストを作成することができない場合にも、受信可能なチャンネルの受信信号レベルを調べ、表示することができる。
【００２６】
以上、本発明の実施の形態における機能は、本デジタル放送受信装置に内蔵されているメモリーに所定のプログラムが書き込まれ、ＣＰＵ５０４を介して実現されるものである。また、画面表示あるいは選択は受信装置のハードキーあるいは付帯のリモコンにより操作を行うことができる。
【産業上の利用可能性】
【００２７】
本発明にかかる放送受信装置は、受信アンテナの設置に主に用いられていた信号レベル表示機能において、受信機に設定する地域情報、もしくは検出した受信中チャンネルから受信周波数リストを作成し、それらの信号レベルを一括表示させる機能を搭載することにより、受信地域に応じて、現在受信可能なチャンネルの受信状態を即座に認識可能であるような効果を有する。また、受信した時にそのチャンネル番号をも受信して併せて表示することにより、例えば地上波デジタル放送のように受信周波数とチャンネルが常に固定とはならない場合でも、チャンネル番号とそのレベル表示を対にして表示することができ、現在受信可能なチャンネル番号を認識可能といった効果を有する。さらには、県域地域等にて、地域情報を隣接する地域を設定した場合に、隣接する地域の放送チャンネルの受信状況を一目で確認することができるといった効果を有するものであり、デジタルテレビの受信機等において有用である。
【図面の簡単な説明】
【００２８】
【図１】本発明実施の形態１における信号レベル表示のフローチャート
【図２】本発明実施の形態１における受信状況画面を示す図
【図３】本発明実施の形態２におけるチャンネルサーチ確認画面を示す図
【図４】本発明実施の形態におけるソフトウェアブロック図
【図５】デジタル放送受信装置のブロック図
【図６】従来例における信号レベル表示のフローチャート
【図７】従来例における信号レベルの受信設定画面を示す図
【符号の説明】
【００２９】
１０１    本発明実施の形態１における信号レベル表示の処理ステップ１
１０２    本発明実施の形態１における信号レベル表示の処理ステップ２
１０３    本発明実施の形態１における信号レベル表示の処理ステップ３
１０４    本発明実施の形態１における信号レベル表示の処理ステップ４
２０１    信号レベル
２０２    手動／自動切換セル
２０３    チャンネルマーカー
５０１    受信アンテナ
５０２    チューナー部
５０３    復調部
５０４    演算部
５０５    表示装置
５０６    メモリー
７０１    放送サービス（ネットワーク）
７０２    受信チャンネル
７０３    信号周波数
７０４    受信状況選択セル
７０５    信号レベル
【図１】
2007189574.tif 000003
【図２】
2007189574.tif 000004
【図３】
2007189574.tif 000005
【図４】
2007189574.tif 000006
【図５】
2007189574.tif 000007
【図６】
2007189574.tif 000008
【図７】
2007189574.tif 000009